(57)【要約】【課題】盗難や不正使用を防止することができるとともに、正当な所有者による些細な使用状態の変化によっても、その都度、所有者確認のための手続きを必要としない表示装置及び表示装置の表示制御方法を得る。【解決手段】初期設置時にパスワードと、装置本体１１の設置位置（基準位置）を登録し、電源を投入する毎にＧＰＳ受信機１１１で測位された現在の設置位置と登録済みの基準位置を照合し、現在の設置位置が基準位置を中心とした所定の範囲外である場合、表示部１１３に不正使用防止の表示を行うと共に表示部１１３にパスワードを要求する表示を行い、パスワード要求に対してリモコン１２よりパスワードの入力があって、入力された該パスワードが登録済みパスワードと一致すれば、不正使用防止の表示から通常の表示に戻し、一致しなければ不正使用防止の表示を継続して行う。【選択図】図１
2008233831.tif 000002
【特許請求の範囲】
【請求項１】
看板や案内板としての各種情報を表示するための表示手段を備える表示装置において、
前記表示装置の設置位置を測位する測位手段と、
正規の使用場所において前記測位手段で測位された設置位置を基準位置として登録する登録手段と、
前記測位手段で測位された前記表示装置の現在の設置位置と前記登録手段に登録されている基準位置とを照合し、その照合結果に基づいて前記表示手段に表示する内容を制御する制御手段と、
を備える表示装置。
【請求項２】
前記制御手段は、前記測位手段で測位された前記表示装置の現在の設置位置と前記登録手段に登録されている基準位置との照合において、前記現在の設置位置と前記基準位置とが異なる場合、前記表示手段に通常の表示を行わず、不正使用防止の表示を行う請求項１に記載の表示装置。
【請求項３】
前記制御手段は、前記測位手段で測位された前記表示装置の現在の設置位置と前記登録手段に登録されている基準位置との照合において、前記現在の設置位置が前記基準位置を中心とした所定の範囲内であれば、前記表示手段に通常の表示を行い、前記所定の範囲外の場合、前記表示手段に不正使用防止の表示を行う請求項１に記載の表示装置。
【請求項４】
パスワードを入力するパスワード入力手段を備え、
前記登録手段は、前記パスワード入力手段からパスワードが入力されたときに前記測位手段で測位された設置位置を基準位置として、入力された前記パスワードと共に登録し、
前記制御手段は、前記測位手段で測位された前記表示装置の現在の設置位置と前記登録手段に登録されている基準位置との照合において、前記現在の設置位置が前記基準位置を中心とした所定の範囲外である場合、前記表示手段に不正使用防止の表示を行うと共に、前記表示手段を介してパスワードを要求し、この要求に対して前記パスワード入力手段よりパスワードの入力があって、入力された該パスワードが前記登録手段に登録されているパスワードと一致すれば、不正使用防止の表示から通常の表示に戻し、一致しなければ不正使用防止の表示を継続して行う請求項１乃至請求項３のいずれかに記載の表示装置。
【請求項５】
看板や案内板としての各種情報を表示するための表示手段を備える表示装置の表示制御方法において、
前記表示装置の設置位置を測位するステップと、
正規の使用場所において測位された設置位置を基準位置として登録するステップと、
前記表示装置の現在の設置位置と登録されている基準位置とを照合し、その照合結果に基づいて前記表示手段に表示する内容を制御するステップと、
を備える表示装置の表示制御方法。
【発明の詳細な説明】
【技術分野】
【０００１】
本発明は、主に屋外に設置されるＬＥＤ(Light Emitting diode)表示看板などの表示装置及び表示装置の表示制御方法に関する。
【背景技術】
【０００２】
主に商店等の屋外に設置されるＬＥＤ表示看板等の表示装置は、比較的持ち運びが容易であり、電源プラグをコンセントに差すだけで自動的に起動することから、誰でも簡単に使用することができる。このため、盗難に遭い易いことから、盗難に遭った場所と異なる場所にあるものが当該盗難品であるか否かを確認できるように（即ち見つけ出すことができるように）、各表示装置に製造シリアル番号等の固有情報を付与している。
【０００３】
特許文献１には、盗難防止や不正使用防止の対策として、パスワード設定／照合や、前回使用状態との比較／照合による操作無効化、表示動作無効化する技術が開示されている。
【０００４】
【特許文献１】特開２００６−３０８８２６号公報
【発明の開示】
【発明が解決しようとする課題】
【０００５】
しかしながら、製造シリアル番号を付与するのみでは、盗難されたことを自発的に周囲に通知することはできない。このため、表示装置のカスタマーサポートの要員、若しくはその表示装置の正当な所有者が市中に設置されている盗品と同型の表示装置の製造シリアル番号を一台一台確認しなくてはならず、世の中に多数設置されている表示装置の中から盗難品を見つけ出すことは現実的に難しく、盗難を抑制し不正使用を防止することは困難であるという問題がある。
【０００６】
また、液晶プロジェクタなど他の表示装置において提案されている対策についても、正当な所有者が使用する場合や、正当な所有者による些細な使用状態の変化（例えば設置場所の移動）によっても、その都度、所有者確認のための手続きが必要となり、使い勝手が悪いという問題がある。
【０００７】
本発明は係る事情に鑑みてなされたものであり、盗難や不正使用を防止することができるとともに、正当な所有者による些細な使用状態の変化によっても、その都度、所有者確認のための手続きを必要としない表示装置及び表示装置の表示制御方法を提供することを目的とする。
【課題を解決するための手段】
【０００８】
本発明の表示装置は、看板や案内板としての各種情報を表示するための表示手段を備える表示装置において、前記表示装置の設置位置を測位する測位手段と、正規の使用場所において前記測位手段で測位された設置位置を基準位置として登録する登録手段と、前記測位手段で測位された前記表示装置の現在の設置位置と前記登録手段に登録されている基準位置とを照合し、その照合結果に基づいて前記表示手段に表示する内容を制御する制御手段と、を備える。
【０００９】
上記構成によれば、測位手段で測位した表示装置の現在の設置位置と登録した基準位置との照合結果に基づいて表示手段に表示する内容を制御するので、表示装置を正規の場所で使用した場合とそれ以外の場所で使用した場合とで、表示手段に表示する内容を変えることが可能となる。したがって、盗難されたことを自発的に周囲に通知することが可能となり、盗難や不正使用を防止することができる。
【００１０】
また、上記構成において、前記制御手段は、前記測位手段で測位された前記表示装置の現在の設置位置と前記登録手段に登録されている基準位置との照合において、前記現在の設置位置と前記基準位置とが異なる場合、前記表示手段に通常の表示を行わず、不正使用防止の表示を行う。
【００１１】
上記構成によれば、表示装置を正規の場所以外で使用した場合には、表示手段に通常の表示を行わず、不正使用防止の表示を行うので、盗難されたことを自発的に周囲に通知することができ、盗難や不正使用を防止することができる。
【００１２】
また、上記構成において、前記制御手段は、前記測位手段で測位された前記表示装置の現在の設置位置と前記登録手段に登録されている基準位置との照合において、前記現在の設置位置が前記基準位置を中心とした所定の範囲内であれば、前記表示手段に通常の表示を行い、前記所定の範囲外の場合、前記表示手段に不正使用防止の表示を行う。
【００１３】
上記構成によれば、表示装置を正規の場所以外でも所定の範囲内であれば、通常の表示を行うので、正規の使用場所から少し移動させても不正使用防止の表示が行われることなく、通常の状態で使用することができる。すなわち、正当な所有者による些細な使用状態の変化にも何ら問題なく使用することができる。
【００１４】
また、上記構成において、パスワードを入力するパスワード入力手段を備え、前記登録手段は、前記パスワード入力手段からパスワードが入力されたときに前記測位手段で測位された設置位置を基準位置として、入力された前記パスワードと共に登録し、前記制御手段は、前記測位手段で測位された前記表示装置の現在の設置位置と前記登録手段に登録されている基準位置との照合において、前記現在の設置位置が前記基準位置を中心とした所定の範囲外である場合、前記表示手段に不正使用防止の表示を行うと共に、前記表示手段を介してパスワードを要求し、この要求に対して前記パスワード入力手段よりパスワードの入力があって、入力された該パスワードが前記登録手段に登録されているパスワードと一致すれば、不正使用防止の表示から通常の表示に戻し、一致しなければ不正使用防止の表示を継続して行う。
【００１５】
上記構成によれば、正当な所有者による些細な設置場所の移動の都度要求される所有者確認のためのパスワード入力が不要となり、正当な使用時に使い勝手を改善できる。
【００１６】
本発明の表示装置の表示制御方法は、看板や案内板としての各種情報を表示するための表示手段を備える表示装置の表示制御方法において、前記表示装置の設置位置を測位するステップと、正規の使用場所において測位された設置位置を基準位置として登録するステップと、前記表示装置の現在の設置位置と登録されている基準位置とを照合し、その照合結果に基づいて前記表示手段に表示する内容を制御するステップと、を備える。
【００１７】
上記方法によれば、測位した表示装置の現在の設置位置と登録した基準位置との照合結果に基づいて表示手段に表示する内容を制御するので、表示装置を正規の場所で使用した場合とそれ以外の場所で使用した場合とで、表示手段に表示する内容を変えることが可能となる。したがって、盗難されたことを自発的に周囲に通知することが可能となり、盗難や不正使用を防止することができる。
【発明の効果】
【００１８】
本発明によれば、盗難された場合に盗難されたことを自発的に周囲に通知するので、盗難を周囲に認識させることができ、盗難や不正使用を防止することができる。また、正当な所有者による些細な設置場所の移動の都度要求される、所有者確認のためのパスワード入力が不要となり、正当な使用時の使い勝手が良くなる。
【発明を実施するための最良の形態】
【００１９】
以下、本発明を実施するための最良の形態について、図面を参照しながら説明する。
【００２０】
図１は、本発明の一実施の形態に係る表示装置の要部構成を模式的に示すブロック図である。図１において、本実施の形態の表示装置１０は、装置本体１１とリモコン１２とからなり、装置本体１１は、ＧＰＳ受信機１１１と、記憶部１１２と、表示部１１３と、制御部１１４とを備えている。
【００２１】
リモコン１２は、赤外線又は電磁波を利用した送信機能を備え、主にパスワードの送信に用いられる。なお、表示装置１０の設定情報の送信にも用いられる。ＧＰＳ受信機１１１は、複数の人工衛星（ＧＰＳ衛星）からの電波を受信して装置本体１１の現在位置（緯度、経度）を所定の精度で検出する。ＧＰＳ受信機１１１は、測位した位置情報を制御部１１４に入力する。記憶部１１２は、制御部１１４から入力される各種情報（装置本体１１の位置や表示装置１０の所有者固有情報）を記憶する。表示部１１３は、ＬＥＤ等の発光素子を複数個配列して成り、制御部１１４から入力された表示データをドット展開して各発光素子の点灯や消灯を行うことで各種表示を行う。表示部１１３には店舗のコマーシャル、商品のコマーシャルなどの表示装置１０の用途に見合った情報が表示される。
【００２２】
制御部１１４は、マイクロコンピュータ等からなり、ＧＰＳ受信機１１１から入力される位置情報を処理すると共にリモコン１２から送信されたパスワード等を受信して処理する。また、制御部１１４は、装置本体１１の電源起動時にＧＰＳ受信機１１１で検出された装置本体１１の位置と記憶部１４に記憶されている位置とを照合し、その結果に基づいて表示部１１３の表示内容を制御する。なお、制御部１１４の処理の詳細については、後述する。
【００２３】
装置本体１１には、商用電源を装置本体１１で使用する電源に変換する電源部（図示略）が設けられており、制御部１１４は電源が投入されると起動し処理を開始する。
【００２４】
なお、上記ＧＰＳ受信機１１１は測位手段に対応し、上記表示部１１３は表示手段に対応する。また、上記記憶部１１２と上記制御部１１４は、登録手段を構成する。また、制御部１１４は制御手段に対応する。また、上記リモコン１２はパスワード入力手段に対応する。
【００２５】
次に、上述したような構成を有する本実施の形態の表示装置１０の動作について、図２〜図４に示すフローチャートを参照しながら説明する。
【００２６】
図２は表示装置１０の装置本体１１で行われる初期設置時のパスワード登録や正規の位置情報の登録処理を示すフローチャートである。また、図３は表示装置１０の装置本体１１で行われる電源起動時の盗難判定処理を示すフローチャートである。また、図４は表示装置１０の装置本体１１で行われる不正使用防止表示動作解除処理を示すフローチャートである。以下、順に説明する。
【００２７】
〔パスワード登録・位置情報登録処理〕
図２において、表示装置１０を購入した当初の初期設置時に装置本体１１に電源を投入すると、制御部１１４が起動して、初期設置処理として、不正使用防止モードの起動設定処理を開始する。まず表示部１１３にパスワード登録を要求する表示を行う（ステップＳ１０）。つまり、正当な所有者に対して使用者認証用のパスワード登録を促す。正当な所有者は、リモコン１２を用いてパスワードを入力する操作を行う。制御部１１４は、表示部１１３にパスワード登録を要求する表示を行った直後からパスワードが入力されたかどうか判定し（ステップＳ１１）、パスワードが入力された場合には該パスワードを登録するため、記憶部１１２に書き込む（ステップＳ１２）。
【００２８】
次いで、制御部１１４は、パスワードが入力されたことで不正使用防止モードを起動し、ＧＰＳ受信機１１１を用いてその時点での装置本体１１の現在位置を測位し（ステップＳ１３）、測位した現在位置を正規の設置位置として登録するため、記憶部１１２に書き込む（ステップＳ１４）。装置本体１１の正規の設置位置を登録した後、不正使用防止モードの起動設定処理を終了し、以降、通常の正常表示動作を開始する（ステップＳ１５）。一方、ステップＳ１１の判定において、所定時間以内にパスワードの入力がなかった場合は、ステップＳ１５に進み、通常の正常表示動作を開始する。
【００２９】
〔盗難判定処理〕
次に、初期設置以降、電源起動時に装置本体１１が盗難されたか否かを判断する処理について説明する。
図３において、まず装置本体１１に電源を投入すると、制御部１１４が起動して不正使用防止モードか否かを判定する（ステップＳ２０）。この判定において不正使用防止モードである場合は、ＧＰＳ受信機１１１を用いて装置本体１１の現在位置を測位する（ステップＳ２１）。次いで、制御部１１４は測位した現在位置を示す位置情報と購入当初に測位して登録しておいた位置情報とを照合し、設置位置の違いを判定する（ステップＳ２２）。この判定において、現在の設置位置が正規の設置位置を中心としたある一定範囲内（例えば、店先や、店舗に近接した屋外）であれば、以降、通常の正常表示動作を行い（ステップＳ２３）、そうでない場合には、盗難されたと判断して正常表示動作を行わず、表示部１１３に不正使用防止表示を行う（ステップＳ２４）。この場合の表示内容は、「こちらにご連絡下さい」などのメッセージのほか、表示装置１０のカスタマーサポートの連絡先や表示装置１０の製造シリアルＮｏ．を表示させても良い。
【００３０】
〔不正使用防止表示動作解除処理〕
次に、不正使用防止表示動作の解除方法について述べる。
図４において、盗難されたと判断して通常の正常表示動作を行わず不正使用防止表示を行っている状態では、制御部１１４はリモコン１２からパスワードの入力操作以外の操作（例えば表示装置１０の設定情報など）の全てを受け付けない。不正使用防表示動作を解除するには、使用者がリモコン１２からパスワード入力を行う必要がある。
【００３１】
したがって、制御部１１４は、盗難されたと判断して通常の正常表示動作を行わず不正使用防止表示を行っている間、パスワードの入力があるかどうかを判定し（ステップＳ３０）、パスワードの入力がなければ不正使用防止表示を継続し、パスワードの入力があれば、入力されたパスワードが登録しているパスワードと一致するか否かを判定し（ステップＳ３１）、パスワードが一致しなければ盗難されていると判断して不正使用防止表示を継続し、パスワードが一致すれば不正使用防止表示動作を解除して、通常の正常表示動作を開始する（ステップＳ３２）。
【００３２】
このように、本実施の形態の表示装置１０によれば、表示装置１０を購入した当初の初期設置時にリモコン１２からパスワードを入力することで、ＧＰＳ受信機１１１で測位された設置位置を基準位置として、入力されたパスワードと共に登録し、パスワードの登録後、電源を投入する毎に、ＧＰＳ受信機１１１で測位された表示装置１０の現在の設置位置と記憶部１１２に記憶されている基準位置とを照合し、現在の設置位置が基準位置を中心とした所定の範囲外である場合、表示部１１３に不正使用防止の表示を行うと共に、表示部１１３にパスワードを要求する表示を行い、パスワード要求に対してリモコン１２よりパスワードの入力があって、入力された該パスワードが記憶部１１２に記憶されているパスワードと一致すれば、不正使用防止の表示から通常の表示に戻し、一致しなければ不正使用防止の表示を継続して行う。
【００３３】
したがって、表示装置１０を正規の場所以外で使用した場合には、表示部１１３に通常の表示を行わず、不正使用防止の表示を行うので、盗難されたことを自発的に周囲に通知することができ、盗難や不正使用を防止することができる。また、表示装置１０を正規の場所以外でも所定の範囲内であれば、通常の表示を行うので、正規の使用場所から少し移動させても不正使用防止の表示が行われることなく、通常の状態で使用することができる。すなわち、正当な所有者による些細な使用状態の変化にも何ら問題なく使用することができる。
【００３４】
なお、上記実施の形態では、表示装置１０を正規の場所以外でも所定の範囲内であれば、通常の表示を行い、パスワード入力を要求しないようにしたが、表示装置１０を動かすことなく固定で使用する場合は、正規の場所以外では不正使用防止の表示を行うと共に、パスワード入力を要求するようにしても良い。
【００３５】
また、上記実施の形態では、電源起動時に位置照合を行うようにしたが、そのタイミングに限定されるものではなく、任意である。
【００３６】
また、上記実施の形態では、盗難や不正使用された場合に不正使用防止の表示を行うようにしたが、表示を停止させることも可能である。さらに、移動通信を利用して直接又はインターネット等のネットワーク経由で正当な所有者の携帯電話、パソコン、ＰＤＡ（Personal Digital Assistant）等に通することも可能である。
【産業上の利用可能性】
【００３７】
本発明は、盗難や不正使用を防止することできるとともに、正当な所有者による些細な使用状態の変化によっても、その都度、所有者確認のための手続きを必要としないといった効果を有し、主に屋外に設置されるＬＥＤ表示看板などの表示装置への適用が可能である。
【図面の簡単な説明】
【００３８】
【図１】本発明の一実施の形態に係る表示装置の要部構成を模式的に示すブロック図
【図２】図１の表示装置のパスワード登録・位置情報登録処理を説明するためのフローチャート
【図３】図１の表示装置の盗難判定処理を説明するためのフローチャート
【図４】図１の表示装置の不正使用防止表示動作解除処理を説明するためのフローチャート
【符号の説明】
【００３９】
１０  表示装置
１１  装置本体
１２  リモコン
１１１  ＧＰＳ受信機
１１２  記憶部
１１３  表示部
１１４  制御部
【図１】
2008233831.tif 000003
【図２】
2008233831.tif 000004
【図３】
2008233831.tif 000005
【図４】
2008233831.tif 000006